(57)【要約】【課題】  携帯電子機器の２つの筐体の連結部端部の隙間に埃や塵あるいは水分などが侵入することを防止し、外観意匠上の向上も図ることを目的とする。【解決手段】  表示部４を有する筐体２と、操作部６を有する筐体３と、両筐体の端部同士を連結する連結部４３とを有し、開閉動作に際して、一方の筐体を他方の筐体に対して、両筐体２，３の重ね合わせ方向に沿う第１の軸線Ｌ１を中心に回転可能、且つ、第１の軸線Ｌ１に直交する第２の軸線Ｌ２を中心として揺動可能に連結すると共に、一方の筐体のうち他方の筐体と対向する連結部側端部に傾斜面２ｃを備え、両筐体２，３の少なくとも一方に、連結部４３を覆うカバー部材２４を設けた。【選択図】  図２
2006067495.tif 000002
【特許請求の範囲】
【請求項１】
表示部を有する筐体と、操作部を有する筐体と、両筐体の端部同士を連結する連結部とを有し、
閉状態にて両筐体が重ね合わせ可能とされ、開状態にて前記表示部及び前記操作部が外部に露出可能とされ、
開閉動作に際して、一方の筐体を他方の筐体に対して、両筐体の重ね合わせ方向に沿う第１の軸線を中心に回転させることができると共に、前記第１の軸線に直交する第２の軸線を中心として揺動させることができ、且つ前記一方の筐体のうち他方の筐体と対向する連結部側端部に傾斜面が設けられた携帯電子機器であって、
前記両筐体の少なくとも一方に、前記連結部を覆うカバー部材を設けたことを特徴とする携帯電子機器。
【請求項２】
前記カバー部材は、前記連結部を囲繞するように構成され、対向する壁部を通る揺動軸線を中心として、前記一方の筐体に揺動可能に支持された環状体であることを特徴とする請求項１に記載の携帯電子機器。
【請求項３】
前記環状体は、その高さが、前記対向する壁部から離れるにつれて漸増するように形成されていることを特徴とする請求項２に記載の携帯電子機器。
【発明の詳細な説明】
【技術分野】
【０００１】
この発明は、２つの筐体を回動可能に連結して構成された携帯電話機、簡易型携帯電話機、ＰＤＡ（Personal Digital Assistants）、デジタルカメラ、映像や音楽等の再生装置等の携帯電子機器に関する。
【背景技術】
【０００２】
携帯電話機やＰＤＡ等の携帯電子機器として種々の構造が知られている。このうち特許文献１では、表示部を有する筐体と、操作部を有する筐体とを重ね合わせ、これらを重ね合わせた方向に設けた軸を中心として回動可能に連結した構造のものが提案されている。従来一般のこの種の携帯電子機器では、機器の筐体を互いに開いた状態において、表示部の視認性を高めるために、操作部を有する筐体に対して若干傾斜させた状態で表示部を有する筐体が配置される構成となっている。
また、携帯電子機器が携帯電話機である場合、表示部を有する筐体を傾斜させることで、マイクとスピーカーをそれぞれユーザーの口と耳に近づけることができるといった利点もあった。
【特許文献１】特開２００４−８４９２９号公報
【０００３】
特許文献１に記載の携帯電子機器は、開状態では表示部を有する筐体が操作部を有する筐体に対して所定角度で傾斜可能とするため、表示部を有する筐体の連結部側端部に傾斜面を形成するようにしている。
【発明の開示】
【発明が解決しようとする課題】
【０００４】
ところで、特許文献１に記載の携帯電子機器においては、２つの筐体を重ね合わせたときの厚みを薄くするために２つの筐体間の隙間をできるだけ小さくする必要があるが、この隙間を小さくすると、表示部を有する筐体を操作部を有する筐体に対して傾斜させることができないため、一方の筐体の連結部側端部に傾斜面が形成されている。
しかしながら、かかる構成においては、閉状態では２つの筐体間に大きな隙間が形成されることになり、この隙間により埃や塵あるいは水分などが侵入しやすくなると共に、連結部が露出するため、外観意匠的にも劣るという問題があった。
【０００５】
本発明は、かかる課題に鑑みて為されたものであり、一方の筐体と他方の筐体とを重ね合わせ、これらを重ね合わせた方向に設けた軸を中心として回動可能に構成し、一方の筐体の連結部端部に傾斜面を形成した携帯電子機器であって、両筐体を閉じた状態においても、両筐体間の隙間に埃や塵あるいは水分などが侵入することを防止し、外観意匠上の向上も図ることを目的とするものである。
【課題を解決するための手段】
【０００６】
上記課題を解決して、このような目的を達成するために、請求項１記載の携帯電子機器は、表示部を有する筐体と、操作部を有する筐体と、両筐体の端部同士を連結する連結部とを有し、閉状態にて両筐体が重ね合わせ可能とされ、開状態にて前記表示部及び前記操作部が外部に露出可能とされ、開閉動作に際して、一方の筐体を他方の筐体に対して、両筐体の重ね合わせ方向に沿う第１の軸線を中心に回転させることができると共に、前記第１の軸線に直交する第２の軸線を中心として揺動させることができ、且つ前記一方の筐体のうち他方の筐体と対向する連結部側端部に傾斜面が設けられた携帯電子機器であって、前記両筐体の少なくとも一方に、前記連結部を覆うカバー部材を設けたことを特徴とする。
【０００７】
この請求項１記載の発明によると、両筐体を閉じた状態において、一方の筐体の傾斜面と他方の筐体との間の連結部周囲に隙間が形成されるが、カバー部材によって当該空間が覆われるので、埃や塵あるいは水分などの侵入が防止される。
【０００８】
また、請求項２記載の携帯電子機器は、前記カバー部材は、前記連結部を囲繞するように構成され、対向する壁部を通る揺動軸線を中心として、前記一方の筐体に揺動可能に支持された環状体であることを特徴とする。
【０００９】
この請求項２記載の発明によると、一方の筐体に対して他方の筐体を閉じた状態から、この一方の筐体を回動操作する場合において、揺動軸線を中心として揺動しつつ環状体の一端面は、一方の筐体と共に回動し、他方の筐体側に常時接触または近接された状態におかれる。
従って、両筐体が開いた状態、または閉じた状態のいずれであっても、この環状体が適切に位置することにより、一方の筐体の傾斜面と他方の筐体との間の連結部周囲に形成された隙間が覆われるので、埃や塵あるいは水分などの侵入が防止される。
【００１０】
また、請求項３記載の携帯電子機器は、前記環状体は、その高さが、前記対向する壁部から離れるにつれて漸増するように形成されていることを特徴とする。
【００１１】
この請求項３記載の発明によると、一方の筐体と他方の筐体が所定の仰角を有して開いた状態とされる場合であっても、環状体の高さ方向に形成された傾斜面により、一方の筐体と他方の筐体との間の連結部周囲に形成された隙間が覆われるので、埃や塵あるいは水分などの侵入が防止される。
【発明の効果】
【００１２】
本発明に係る携帯電子機器によれば、一方の筐体の傾斜面と他方の筐体との間の連結部周囲に形成された隙間が覆われて連結部が外部に露出することが無いので、埃や塵あるいは水分などの侵入が防止されると共に、外観意匠上も良好とすることができる。
【発明を実施するための最良の形態】
【００１３】
図１から図１０は、本発明による携帯電子機器の第１の実施形態を示すものである。ここで説明する実施の形態は、本発明を携帯電話機に適用した例である。図１から図５において、携帯電話機１は、第１の筐体２と、第２の筐体３とを互いに重ね合わせ可能に連結したものであって、その重ね合わせた方向の第１の軸線Ｌ１を中心として互いに回動可能に連結したものである。
【００１４】
第１の筐体２には、その上面２ａ側に液晶表示部（表示部）４、スピーカー５が設けられており、第２の筐体３には、電源キーやテンキー等を含む操作キー６と、マイクロフォン７とが設けられている。
また、第１の筐体２は、フロントケース８、フレーム９、リアケース１０を備えたもので、図２では、内部に収容される液晶表示装置やスピーカー等は省略されている。
【００１５】
リアケース１０には、一方の端部１０ａ側に開口部２１が形成されており、フレーム９には後述する連結部４３を固定するための固定壁部２２が設けられている。この固定壁部２２には、ネジ止めのための取付け孔２３（本実施の形態においては３箇所）が形成されている。
【００１６】
固定壁部２２の下方でリアケース１０の開口部２１内には、図６に示されるカバー部材２４が支持されている。
このカバー部材２４は、外観がほぼ環状に形成されており、その中心点を挟んで対向する壁部２５、２５がほぼ平坦に形成されている。この壁部２５、２５には、外方に突出するように、軸部２６、２６が設けられている。
【００１７】
カバー部材２４の底面２４ａは、後述するように、第２の筐体３の上面３ａの一部に摺接若しくは近接して配置されるので、摺動性の良いポリオキシメチレン（ＰＯＭ）樹脂、摺動性を有するアクリロニトリル・ブタジエンスチレン（ＡＢＳ）樹脂といった摺動性材料から作られており、また、第２の筐体３に対してスムーズに相対移動できるように、底面２４ａの角部は滑らかな湾曲面２４ｃとされている。
【００１８】
このカバー部材２４の上面２４ｂは、壁部２５、２５の部分の高さ寸法が最も小さくなっており、この壁部２５、２５から離れるにつれて高さが漸増する傾斜構造となっている。
この傾斜形状は、後述する連結機構により決定される、第１の筐体２と第２の筐体３とが開状態とされるときの仰角に応じて適宜設定される。
【００１９】
また、カバー部材２４は、開口部２１の対向する壁部２７、２７に形成された軸受け部２８、２８に軸部２６、２６を挿入させることにより、リアケース１０に取り付けられている。
また、カバー部材２４は、この軸受け部２８、２８により形成される第２の軸線Ｌ２を中心として揺動自在とされている。
【００２０】
この構成のもとに、フロントケース８、フレーム９、リアケース１０は、互いに重ね合わされた状態で適宜の手段によって固定され、第１の筐体２を構成している。
【００２１】
次に、図２に示されるように、第２の筐体３は、フロントケース４１、リアケース４２を備えている。
フロントケース４１の一方の端部４１ａ側は、第１の筐体２の固定壁部２２と協働して連結部４３の一部を構成する環状のカム部材４４及びカムフォロワー４５を備えている。
カムフォロワー４５は、本実施の形態においては３箇所に設けられている取付け孔２３に挿通された図示しないネジにより、固定壁部２２に取り付けられている。
【００２２】
カム部材４４とカムフォロワー４５とは、後述するように、第２の筐体３に対して第１の筐体２を回動させた場合に、所定の位置において、第２の筐体３に対して第１の筐体２が所定の角度をもって立ち上がるように位置させるものであり、完全に開いた状態では、最も見易い仰角をもって傾斜させるものである。
【００２３】
ここで連結部４３の構造について、図７乃至図１０に基づいて説明すると、連結部４３は、第２の筐体３の上面３ａに対して垂直な第１の軸線Ｌ１を中心として略円筒状に形成されたカム部材４４と、このカム部材４４の内側に回転可能に嵌合される略円筒状に形成された回転体４６と、回転体４６に対して第１の筐体２を傾斜させ得る傾斜機構を備えた継ぎ手部４７とからなる。
【００２４】
カム部材４４の外側面にはフランジ部４４ａが設けられており、このフランジ部４４ａは、第２の筐体３に結合されると共に、カム部材４４の頂部にはその半分の領域を切り欠いて高さを低くした段差部が形成されており、この段差部底面を案内面４４ｂとし、その始点Ｓと終点Ｅにそれぞれ凹部４４ｃ、４４ｄが形成されている。また、案内面４４ｂは始点Ｓ付近から途中まで同じ高さを有し、終点Ｅ近傍で若干高くなっている。なお、案内面４４ｂは始点Ｓから終点Ｅまでその高さが徐々に大きくなる傾斜面としても構わない。
【００２５】
継ぎ手部４７は、カムフォロワー４５と、このカムフォロワー４５に設けられ、回転体４６内に配置される筒状体４５ａと、第１の軸線Ｌ１に対して直角に筒状体４５ａを貫通して配置される回転軸４８とを備えている。カムフォロワー４５は、固定板部４５ｂと、従動壁部４５ｃとからなっている。
固定板部４５ｂは、第１の筐体２のフレーム９に形成された固定壁部２２に取り付けられると共に、回転軸４８の両端を回転体４６に固定することによって第１の筐体２と回転体４６とを連結するようになっている。回転軸４８は、第１の軸線Ｌ１に対して直交し、かつ第２の筐体３の上面３ａに対して平行に位置するように配置してあり、この回転軸４８と筒状体４５ａ及び回転体４６とで第１の筐体２を第２の筐体３に対して傾斜させ得る傾斜機構を構成するようになっている。
【００２６】
即ち、筒状体４５ａは、回転軸４８を中心に回転体４６に対して傾動させることができるようになっており、第１の筐体２の図１に示す一方の端部２ｄを、第２の筐体３の上面３ａに対して持ち上げれば、第１の筐体２を第２の筐体３に対して傾斜させ得るようになっている。
【００２７】
固定板部４５ｂに形成された従動壁部４５ｃは、上記カム部材４４の案内面４４ｂに沿って摺動しながら案内される。なお、案内面４４ｂの始点Ｓと終点Ｅを結ぶ線は、回転軸４８に対して直交するように配置されており、案内面４４ｂの始点Ｓは操作キー６側に、案内面４４ｂの終点Ｅは第２の筐体３の端部４１ａ側（図２参照）に位置している。
【００２８】
なお、図７乃至図１０において、筒状体４５ａの固定板部４５ｂと反対側の端部には、弾性体４９が取着されており、この弾性体４９を回転体４６の内壁面４６ａに付勢させることにより、その弾性作用によって第１の筐体２の図１に示す一方の端部２ｄが第２の筐体３の上面３ａに押し付けられるようになっている。
【００２９】
第１の筐体２は、第２の筐体３に対して上記のように構成された連結部４３を中心として回動され、所定の仰角をもって開状態とされるものであるが、この際に、第１の筐体２の底面２ｂの後端部には、第２の筐体３の上面部３ａと干渉しないように、開口部２１にまで達する傾斜面２ｃが形成されている（図５参照）。これにより両筐体２，３間の隙間を小さくできると共に、第１の筐体２を、第２の筐体３に対して適切な仰角をもって開くことが可能になっている。
【００３０】
また、上記連結部４３の外側には、この連結部４３を囲繞するように、前述した図２に示すカバー部材２４が配置されている。この構成のもとに、連結部４３は、第１の筐体２の端部に傾斜面２ｃが形成されることにより、この傾斜面２ｃと第２の筐体の上面３ａとの間に位置することになるが、カバー部材２４で覆われることにより、外部に露出することはない。
特に、カバー部材２４は、回動される第１の筐体２側に配置されると共に、傾斜面２ｃに合わせて上面２４ｂが隙間Ｇに露出しない傾斜構造とされていることにより、外観上、カバー部材２４を第１の筐体２の開口部２１内に入り込んだ構成とさせることができ、連結部４３が外部に露出することがない。
【００３１】
次に、上記の構成からなる携帯電話機１の使用方法について説明すると、この携帯電話機１を用いて電話をかける場合には、まず図１０（ａ）のように、第１の筐体２と第２の筐体３が閉じた状態から、従動壁部４５ｃを凹部４４ｃより持ち上げて案内面４４ｂに乗り上げさせた後、連結部４３を中心として水平方向に回動させると、図１０（ｂ）に示すように、所定の仰角をもって開状態となる。この状態において操作キー６を操作して電話をかけることになる。
また、通話を終了して、携帯電話１を非使用状態とするためには、第１の筐体２を前述した操作とは逆に回動させ、第１の筐体２と第２の筐体３を重ね合わせることによって操作が完了する。
【００３２】
上記の操作において、第１の筐体２が第２の筐体３に対して閉じた状態では、図７（ｃ）及び図８に示すように、カムフォロワー４５の従動壁部４５ｃは、カム部材４４の始点Ｓ側に形成されている凹部４４ｃと係合されているため、第１の筐体２は、第２の筐体３に対して連結部４３を中心に回動することはない。
【００３３】
また、第１の筐体２を第２の筐体３に対して閉じた状態から開く際には、図１０（ａ）に示すように、第１の筐体２の一方の端部２ｄ（図１参照）を第２の筐体３の上面３ａに対して持ち上げ、第１の筐体２を第２の筐体３の上面３ａに対して傾斜させる。このとき、カムフォロワー４５の従動壁部４５ｃは、カム部材４４の始点Ｓ側にある凹部４４ｃより外される。
【００３４】
また、第１の筐体２をカム部材４４の軸線を中心に回動させるのであるが、このとき、カムフォロワー４５の従動壁部４５ｃは、案内面４４ｂ上を摺動しながら終点Ｅまで案内され、第１の筐体２を第２の筐体３の上面３ａに対して傾斜させた状態で回動される。
このとき、第１の筐体２には、第２の筐体３の上面３ａと対向する面と、この面に隣接する端面との境界を横切る傾斜面２ｃが形成されているため、第１の筐体２の連結部４３側端部は、第２の筐体３の上面３ａと接触することはない。
【００３５】
従って、第１の筐体２が第２の筐体３に対して回動させられる際、第１の筐体２はカム部材４４によって支持された状態で案内されることになるため、回動時における第１の筐体２のガタ付きが抑えられる。
【００３６】
そして、図１０（ｂ）に示すように、第１の筐体２を略１８０度回動させ、カムフォロワー４５の従動壁部４５ｃが、案内面４４ｂの終点Ｅに形成された凹部４４ｄに係合されることにより回動が終了し、第１の筐体２を第２の筐体３に対して傾斜させた状態で開状態とすることができる。
【００３７】
この操作において、携帯電話機１の第１の筐体２と第２の筐体３との間には、前述した傾斜面２ｃにより隙間Ｇが形成されるものの、連結部４３の周囲にカバー部材２４が設けられているため、このカバー部材２４が隙間Ｇを覆うこととなる。
この場合、カバー部材２４は、第２の軸線Ｌ２を中心として、第１の筐体２に揺動自在に支持されているので、第２の筐体３に対して第１の筐体２を回動させたときに、カバー部材２４の底面２４ａが常に第２の筐体３の上面３ａに接触または近接された状態で揺動し、連結部４３を覆う状態が維持される。
【００３８】
従って、この隙間Ｇから埃や塵あるいは水分などが侵入することを有効に防止でき、連結部４３も露出しないため、外観意匠的にも優れたものとすることができる。
【００３９】
次に、本発明の第２の実施形態を図１１及び図１２に基づいて説明する。なお、この第２の実施形態において、第１の実施形態と共通する部分には同一の符号を配して説明を省略する。
この第２の実施形態の携帯電話機６１においては、カバー部材６２が、第２の筐体６４側に係止されている点が、第１の実施の形態とは異なっており、図１２においては、連結部４３の一部を構成するカム部材４４の周囲を囲繞するようにカバー部材６２が配置される。
【００４０】
このカバー部材６２も、摺動性の良いポリオキシメチレン（ＰＯＭ）樹脂、摺動性を有するアクリロニトリル・ブタジエンスチレン（ＡＢＳ）樹脂といった摺動性材料から作られており、カバー部材６２はその一方の端面に、図１２に示すように、環状の本体６２ａと、凹部６２ｂ、凸部６２ｃを備えている。
カバー部材６２の他方の端面は傾斜構造となっており、この傾斜形状は、第１の筐体６３と第２の筐体６４とが開状態とされるときの仰角に応じて適宜設定される。
【００４１】
また、第２の筐体６４の内部には、カバー部材６２の凹部６２ｂ、凸部６２ｃが嵌合される図示しない凸部と凹部が形成されており、これらを係合させることにより、カバー部材６２は、第２の筐体６４に回動不能に取り付けられる。
【００４２】
このような構成のもとに、第１の筐体６３と第２の筐体６４が互いに閉じた状態、あるいは開いた状態において、第１の筐体６３の底面６３ｂの後端部に形成された傾斜面６３ｃと第２の筐体６４の上面部６４ａ間に生じる隙間Ｇは、このカバー部材６２により覆われる。
従って、第１の実施の形態と同様に、埃や塵あるいは水分などが侵入することを有効に防止でき、連結部も露出しないため、外観意匠的にも優れたものとすることができる。
【００４３】
次に、図１３及び図１４は、上述した実施の形態におけるカム部材の案内面の例を示すものである。
【００４４】
上述した実施の形態の携帯電話機においては、第１の筐体を第２の筐体に対して開いた状態で使用する場合には、第１の筐体と第２の筐体との仰角は、回転角度に応じて適切に設定される必要がある。
【００４５】
すなわち、通話時に、第１の筐体と第２の筐体が全開となっている場合においては、第１の筐体は、適切な仰角をもって起こされることが望ましい。
ところが、第１の筐体が、閉状態から水平方向に９０°回転された状態で液晶表示部に表示された画像を見るような場合には、第１の筐体と第２の筐体との間に仰角が存在すると、かえって視認性が低下してしまう。
【００４６】
かかる点に鑑みて、図１３及び図１４は、第１の筐体と第２の筐体との仰角が、適切に設定されたカム部材の案内面を示すものである。
【００４７】
図１３（ａ）におけるカム部材の案内面８１には、底部平坦面８１ａ、傾斜面８１ｂ、上部平坦面８１ｃが形成されており、図示しないカムフォロワーが、底部平坦面８１ａから傾斜面８１ｂを経て上部平坦面８１ｃの位置まで回動されると、第１の筐体と第２の筐体との仰角は、図１３（ｂ）に示されるような特性となる。
【００４８】
従って、第１の筐体が、閉状態から水平方向に９０°回転された状態で液晶表示部に表示された画像を見るような場合、第１の筐体と第２の筐体との間の仰角はゼロとなっているので、良好な視認性が得られる。
【００４９】
また、図１４（ａ）におけるカム部材の案内面９１には、第１の底部平坦面９１ａから、直ちになだらかな第１の傾斜面９１ｂに至り、底部平坦面９１ａから約９０°の位置に、第２の底部平坦面９１ｃが形成されている。その後、直ちになだらかな第２の傾斜面９１ｄに至り、最終的に上部平坦面９１ｅの位置まで回動されると、第１の筐体と第２の筐体との仰角は、図１４（ｂ）に示されるような特性となる。
【００５０】
この場合も、第１の筐体が、閉状態から水平方向に９０°回転された状態で液晶表示部に表示された画像を見るような場合、第１の筐体と第２の筐体との間の仰角はゼロとなっているので、良好な視認性が得られる。
【００５１】
以上の実施の形態によれば、第１の筐体の傾斜面と第２の筐体との間の連結部の周囲に形成された隙間が覆われて、連結部が外部に露出することが無いので、埃や塵あるいは水分などの侵入が防止されると共に、外観意匠上も良好とすることができる。
また、第１の筐体と第２の筐体との仰角を、適切に設定することができる。
【００５２】
なお、上述した実施の形態においては、カバー部材を第１の筐体または第２の筐体のいずれか一方に形成しているが、この構成に代えて、カバー部材を第１の筐体及び第２の筐体の双方に設けても良い。
【００５３】
また、本発明は、上述した携帯電話機の実施形態に限られるものではなく、ＰＤＡやノートパソコンのように、２つの筐体を連結手段により互いに回動可能、かつ開閉自在に連結した携帯電子機器であれば適用可能であり、本発明の要旨を逸脱しない範囲で適宜変更が可能なものである。
【図面の簡単な説明】
【００５４】
【図１】本発明の第１の実施形態の携帯電話機において、第１の筐体と第２の筐体が閉じている様子を説明する斜視図である。
【図２】第１の実施形態の携帯電話機の分解斜視図である。
【図３】第１の実施形態の携帯電話機の第１の筐体と第２の筐体の組み合わせ状態を示す斜視図である。
【図４】図３を裏面から見た斜視図である。
【図５】第１の実施形態の携帯電話機の要部正面図である。
【図６】第１の実施形態の携帯電話機のカバー部材を示す図であって、（ａ）は平面図、（ｂ）は側面図である。
【図７】第１の実施形態の携帯電話機の連結部を示す図であって、（ａ）は裏面図、（ｂ）は側面図、（ｃ）は正面図である。
【図８】第１の実施形態の携帯電話機の連結部の断面図である。
【図９】図８のＩ−Ｉ断面図である。
【図１０】第１の実施形態の携帯電話機において、開閉時の連結部の状態を示す断面図であって、（ａ）は閉状態から第１の筐体の一端を持ち上げた図、（ｂ）は開状態を示す図である。
【図１１】第２の実施形態の携帯電話機の要部正面図である。
【図１２】第２の実施形態の携帯電話機の携帯電話機の分解斜視図である。
【図１３】カム部材の案内面の一の例を示す図であって、（ａ）は斜視図、（ｂ）は第１の筐体と第２の筐体との水平回転角度と仰角との関係を示す図である。
【図１４】カム部材の案内面の他の例を示す図であって、（ａ）は斜視図、（ｂ）は第１の筐体と第２の筐体との水平回転角度と仰角との関係を示す図である。
【符号の説明】
【００５５】
１，６１  携帯電話機  ２，６３  第１の筐体  ３，６４  第２の筐体  ２１  開口部  ２２  固定壁部  ２４，６２  カバー部材  ２６  軸部  ２８  軸受け部  ４３  連結部  ４４  カム部材  ４５  カムフォロワー  ４６  回転体  ４７  継手部  Ｌ１  第１の軸線  Ｌ２  第２の軸線  Ｇ  隙間
【図１】
2006067495.tif 000003
【図２】
2006067495.tif 000004
【図３】
2006067495.tif 000005
【図４】
2006067495.tif 000006
【図５】
2006067495.tif 000007
【図６】
2006067495.tif 000008
【図７】
2006067495.tif 000009
【図８】
2006067495.tif 000010
【図９】
2006067495.tif 000011
【図１０】
2006067495.tif 000012
【図１１】
2006067495.tif 000013
【図１２】
2006067495.tif 000014
【図１３】
2006067495.tif 000015
【図１４】
2006067495.tif 000016